(57)【要約】【課題】  光磁気ディスクの偏芯に対する磁気ヘッドの追従機能が欠けており、光磁気ディスクの偏芯に追従する対物レンズのトラッキング動作の移動量を考慮して磁界発生部の有効面積を設計する必要がある。【解決手段】  スライダー２６内に配置された磁極部２０、２１を光磁気ディスク面に平行で、半径方向に移動可能に保持するトラッキングバネ２２、トラッキングバネをトラッキング方向に駆動する駆動手段（トラッキングマグネット３０、トラッキングコイル３１）を具備する。そして、対物レンズのトラッキング方向の位置信号に基づいて駆動手段を駆動することにより、スライダーに搭載された磁極部を対物レンズ４ａの移動に同期させて光磁気ディスク面に対し非接触でトラッキング方向に駆動する。【選択図】        図４
2005116098.tif 000002
【特許請求の範囲】
【請求項１】
光磁気ディスクに情報の記録或いは再生を行う対物レンズを有する光ピックアップと、前記光磁気ディスクを挟んで光ピックアップと対向して配置され、前記光磁気ディスク面に摺接するように支持部材に保持されたスライダーと、前記スライダーに搭載され前記光磁気ディスクに記録磁界を印加する磁極部とを備えた光磁気ディスク装置において、前記スライダー内に配置された磁極部を前記光磁気ディスク面に平行で、且つ、半径方向に移動可能に保持する支持手段と、前記支持手段をトラッキング方向に駆動する駆動手段とを備え、前記対物レンズのトラッキング方向の位置を示すレンズ位置検出信号に基づいて前記駆動手段を駆動することにより、前記スライダーに搭載された磁極部を前記対物レンズの移動に同期させて光磁気ディスク面に対し非接触でトラッキング方向に駆動することを特徴とする光磁気ディスク装置。
【請求項２】
光磁気ディスクに情報の記録或いは再生を行う光ピックアップと、前記光磁気ディスクを挟んで光ピックアップと対向して位置され、前記光磁気ディスク面に摺接するスライダーと、前記スライダーに搭載され記録磁界を印加する磁極部とを備えた光磁気ディスク装置において、前記スライダーを鉛直方向に移動可能に支持する電流供給路を兼ねるジンバルと、前記スライダー内に永久磁石と前記磁極部をトラッキング方向に揺動可能に保持する弾性部材とを備え、前記スライダーには前記弾性部材に保持された永久磁石と隙間を介してコイルが配置され、且つ、前記永久磁石とコイルにより磁気回路が構成されており、前記スライダーを支持するジンバルを経由して前記コイルに前記対物レンズのトラッキング方向の位置信号に応じた電流を供給することにより、前記スライダーに搭載された磁極部を前記対物レンズの移動に同期させてトラッキング方向に駆動することを特徴とする光磁気ディスク装置。
【請求項３】
前記磁気回路は、互に３面を有するコの字形ヨークを対向させてほぼ６面に構成され、且つ、一方のコの字形ヨーク内に永久磁石が固定され、他方のコの字形ヨーク内にトラッキングコイルが固定されており、前記永久磁石からの磁界を前記コの字形ヨークの６面内に留め磁路とすることを特徴とする請求項２に記載の光磁気ディスク装置。
【発明の詳細な説明】
【技術分野】
【０００１】
本発明は、光磁気ディスクに情報の記録或いは記録情報を再生する磁界変調方式の光磁気ディスク装置に関し、特に、光磁気ディスクに記録磁界を印加する磁気ヘッドのトラッキング機構に関するものである。
【背景技術】
【０００２】
従来、光磁気記録媒体に高密度で情報信号を記録する記録方式としては、磁界変調方式が知られている。磁界変調方式は、周知のように光ピックアップと磁気ヘッドを備え、光ピックアップから光磁気記録媒体（以下、光磁気ディスクと称す）の磁気記録層にレーザ光を微小光ビームスポットに収束して照射することにより光磁気ディスクの温度を上昇させると共に、光磁気ディスクを挟んで光ピックアップと反対側に対向配置された磁気ヘッドから光磁気ディスクの光ビームスポット照射位置に情報信号に応じて変調された磁界を垂直方向に印加することにより光磁気ディスクに情報信号の記録を行う。
【０００３】
現在、このような磁界変調方式は、オーバーライトが可能なことからデータの書き込み時間を短縮でき、光磁気ディスクの主要な記録方式になりつつある。磁界変調方式を用いた光磁気記録装置は、例えば、ＭＤ（ミニディスク）等で使用されている。この装置において、磁気ヘッドはバネ材に支持された摺動スライダーにより所定のギャップを保持され、光磁気ディスク面を所望加圧力で摺動している。
【０００４】
図９は特開２００２−２５１４１号公報に開示された磁界変調方式の光磁気記録再生装置を示す概略構成図である（特許文献１参照）。図９（a）は平面図、図９（ｂ）は正面図、図９（ｃ）は側面図である。スピンドルモータ９２はメカシャーシ９１に固定されている。スピンドルモータ９２に設けられ、回転駆動するターンテーブル９３に光磁気ディスク（以下、ディスクと称する）８６を載置するようになっていて、ディスク８６の一方の面に所定の距離を置いて光ピックアップ９０が設けられ、ディスク８６の他方面上の光ピックアップ９０の対向位置に内部に磁極コア８０を一体的に持つ磁気ヘッド８５が配置されている。
【０００５】
光ピックアップ９０は磁気ヘッド８５と共にメカシャーシ９１に固定された送り機構９５によりディスク８６の径方向（以下、トラッキング方向と称する）に直線移動する。また、光ピックアップ９０にはレーザ光源９４が内設されており、レーザ光源９４から出射する光を対物レンズ８９によりディスク８６上に集光する。
【０００６】
対物レンズ８９は図示しない対物レンズホルダに保持され、その対物レンズホルダは図示しないアクチュエータ内の４ワイヤにより支持されている。アクチュエータ内に設けられたコイルが発生する電磁力により対物レンズ８９は、磁気ヘッド８５と対物レンズ８９とを結ぶ方向（以下、フォーカス方向と称する）及びトラッキング方向に駆動される。
【０００７】
同公報の光磁気記録再生装置においては、ディスク８６にレーザ光を照射し、ディスク８６の温度を上昇させ、ディスク８６の保磁力を小さくすると共に磁極コア８０によりディスク８６上の磁化の向きを変えてディスク８６に情報を記録する。
【０００８】
図１０は上記公報に開示された磁気ヘッド支持機構を示す。図１０（ａ）は平面図、図１０（ｂ）は正面図、図１０（ｃ）は側面図である。まず、図１０（ｂ）に示すように光ピックアップ９０と、その一端に立設されている固定支持部１１0と、磁極コア８０を内設した磁気ヘッド８５を付勢するジンバル８７とを備えている。
【０００９】
固定支持部１１０は上端縁部に矩形状の凹部１１０ｂを有し、凹部１１０ｂの両側端部には軸支持部１１０ａ・１１０ａを有する。両軸支持部１１０ａ・１１０ａ間にはユニットガイド軸８１が支持されており、ユニットガイド軸８１は軸受け部８２を遊貫している。軸受け部８２はジンバル８７における磁気ヘッド８５側と反対側の端部に固定されている。これにより、ジンバル８７は図１０（ａ）の矢印Ａ方向に自在に変位することができる。また、軸支持部１１０ａと軸受け部８２との間にはスプリング８４が介装されており、スプリング８４はその弾性により軸支持部１１０ａ及び軸受け部８２を押圧している。更に、軸受け部８２におけるジンバル８７と反対側の端部には、カウンターウェイト８３が固定されている。
【００１０】
カウンターウェイト８３の重さ及び大きさは、磁気ヘッド８５とジンバル８７との重心がユニットガイド軸８１上に位置するように設定されている。また、トラッキング方向が鉛直方向になる場合には、磁気ヘッド８５、ジンバル８７、軸受け部８２との自重によりスプリング８４は変形する。これにより、磁気ヘッド８５、ジンバル８７、軸受け部８２は図１０（ｂ）に示すように鉛直下方に移動する。
【特許文献１】特開２００２−２５１４１号公報
【発明の開示】
【発明が解決しようとする課題】
【００１１】
ところで、従来の光磁気記録再生装置では、スピンドルモータに光磁気ディスクを載置して光磁気ディスクにフォーマットされているガイドトラックへ対物レンズをトラッキング制御しながら、光ビームスポットを照射すると共に、磁極コアから光ビームスポット位置に磁界を印加することで記録を行う。しかし、実際には光磁気ディスクの成形精度や本体装置の取付け精度等により光ビームスポットに対する光磁気ディスクの偏芯を生じる。この偏芯に追従する為に光ビームスポットをアクチュエータで制御して対応している。
【００１２】
ところが、特許文献１のものでは、磁気ヘッド８５は光ピックアップと一体的にトラック横断方向に移動させる固定支持部１１０に固定されており、磁気ヘッド８５は光ピックアップ９０の移動に伴って一緒に移動はするが、偏芯に応じてトラッキングする対物レンズには追従していない。その為、磁極コア８０の発生磁界領域中心と対物レンズ８９の光ビームスポット照射位置とは偏芯量に応じて離れる構造となっている。
【００１３】
例えば、光磁気ディスク装着時の偏芯量が０．３ｍｍで磁極コア８０の面積寸法を０．２ｍｍ角以下と仮定した場合、光ビームスポットが磁極コアの面積部の中心位置に設定しておいたとしても磁極コア８０の有効磁界領域は光ビームスポットから外れることになる。この様な状態で情報を記録する場合には、ディスクに所望の磁界強度が与えられず、情報を正確に記録できないという問題があった。特に、近年の高記録密度化は必須事項となっている。例えば、１２ＭＨｚ以上の高周波で変調を行う場合には、従来の磁極コアサイズのままで対応すると消費電力が増えてしまい、また、磁極コアのサイズを小型化するとディスクの面ブレ等によるタンジェンシャル方向の磁極コア位置の変位に対応できないという課題があった。
【００１４】
また、特許文献１の磁気ヘッド支持機構は、光ビームスポットをガイドトラックに追従させるトラッキング方向を鉛直方向とした時に生じる対物レンズ可動体の自重による変位と、支持部材の自重により生じる磁気ヘッドの変位量とが略一致するように、磁気ヘッドの支持部材を光ピックアップに対しトラッキング方向に変位させるバネ支持部を備えた構成である。従って、磁気ヘッド及び対物レンズをトラッキング方向が鉛直方向となる姿勢で使用しても、対物レンズと磁気ヘッドとの対向位置関係を保つことができるとしている。
【００１５】
しかしながら、近年、要望されている高周波数による高密度記録では、対物レンズと磁気ヘッドの姿勢差をキャンセルする程度では対応できない高レベルの対向位置精度を要求されている。例えば、ディスクの偏芯に伴う対物レンズの追従に対し磁気ヘッドも対応していくことで、磁界発生部の面積の微細化を図り、インピーダンスを下げて消費電流も考慮して高周波数に対応していくことが必要となってきている。しかし、特許文献１のものでは、偏芯に対する追従機能が欠けており、ディスク偏芯に追従する対物レンズのトラッキング動作の移動量を考慮して磁界発生部の有効面積を設計する必要がある。従って、磁界発生部の小型化への大きな制約事項となり、要求される上記高周波数での条件を満たすことの足枷となっていた。
【００１６】
本発明は、上記従来の問題点を解決するためになされたもので、その目的は、光磁気ディスクの偏芯に拘わらず、情報の高速記録に十分に対応することが可能な光磁気ディスク装置を提供することにある。
【課題を解決するための手段】
【００１７】
本発明は、上記目的を達成するため、光磁気ディスクに情報の記録或いは再生を行う対物レンズを有する光ピックアップと、前記光磁気ディスクを挟んで光ピックアップと対向して配置され、前記光磁気ディスク面に摺接するように支持部材に保持されたスライダーと、前記スライダーに搭載され前記光磁気ディスクに記録磁界を印加する磁極部とを備えた光磁気ディスク装置において、前記スライダー内に配置された磁極部を前記光磁気ディスク面に平行で、且つ、半径方向に移動可能に保持する支持手段と、前記支持手段をトラッキング方向に駆動する駆動手段とを備え、前記対物レンズのトラッキング方向の位置を示すレンズ位置検出信号に基づいて前記駆動手段を駆動することにより、前記スライダーに搭載された磁極部を前記対物レンズの移動に同期させて光磁気ディスク面に対し非接触でトラッキング方向に駆動することを特徴とする。
【００１８】
また、本発明は、光磁気ディスクに情報の記録或いは再生を行う光ピックアップと、前記光磁気ディスクを挟んで光ピックアップと対向して位置され、前記光磁気ディスク面に摺接するスライダーと、前記スライダーに搭載され記録磁界を印加する磁極部とを備えた光磁気ディスク装置において、前記スライダーを鉛直方向に移動可能に支持する電流供給路を兼ねるジンバルと、前記スライダー内に永久磁石と前記磁極部をトラッキング方向に揺動可能に保持する弾性部材とを備え、前記スライダーには前記弾性部材に保持された永久磁石と隙間を介してコイルが配置され、且つ、前記永久磁石とコイルにより磁気回路が構成されており、前記スライダーを支持するジンバルを経由して前記コイルに前記対物レンズのトラッキング方向の位置信号に応じた電流を供給することにより、前記スライダーに搭載された磁極部を前記対物レンズの移動に同期させてトラッキング方向に駆動することを特徴とする。
【００１９】
本発明においては、レンズ位置センサにより検出された対物レンズのトラッキング方向の位置を示すレンズ位置信号から光磁気ディスクの偏芯成分を抽出し、得られた偏芯成分に基づいて磁気ヘッドをトラッキング方向に駆動することにより、磁気ヘッドの磁界発生位置が対物レンズのトラッキング方向の移動に追従動作する。この追従動作によって、光磁気ディスクの偏芯分をキャンセルすることで磁気ヘッドの磁界発生部を小面積にしても光ビームスポットを磁極コアの有効磁界範囲内に収めることが可能となり、従来方式では困難であった１２ＭＨｚ以上の高周波数での駆動を可能とすると共に、インピーダンスを下げて消費電力を低減することも可能である。
【発明の効果】
【００２０】
本発明によれば、磁気ヘッドに磁極コアをトラッキング方向に移動させるトラッキング駆動部を設けると共に、レンズ位置検出信号からディスクの偏芯成分を抽出し、得られた偏芯成分に基づいて磁極コアを制御している為、ディスクの偏芯に対しても磁極コアの磁界発生領域と光ビームスポットの相対位置が変位しない精度の高い追従を可能としている。従って、磁気ヘッドを小型化して情報の高速記録及び高密度記録に大きく寄与できる。
【００２１】
更に、光磁気ディスクの偏芯精度を厳しく要求することはなく、偏芯精度を緩和できるため、その分、ディスクの歩留まりが向上し、安価に作製することができる。また、磁気ヘッドのトラッキングにレンズ位置検出信号を兼用した単純な構成としたことで装置形状に余分な回路を付加せずに済み、小型化が可能である。
【発明を実施するための最良の形態】
【００２２】
次に、本発明を実施するための最良の形態について図面を参照して詳細に説明する。図１は本発明による光磁気ディスク装置の一実施形態の構成を示すブロック図、図２はその内部構造を示す構成図である。また、図３はその主要部の磁気ヘッド周辺部を示す平面図、図４は図３の斜視図、図５は磁気回路の構成図である。更に、図６は磁気ヘッドの昇降機構を含む側面図、図７は磁気ヘッドの昇降機構を含む斜視図、図８は図５の磁気回路の斜視図である。なお、本実施形態では現在ＭＤとして知られている形態を例として説明する。
【００２３】
図中１は情報記録媒体であるところの光磁気ディスク（以下ディスクと称す）である。ディスク１は透明基板及びその上に形成された磁性材料から成る磁気記録層から構成されている。ディスク１はスピンドルモータ２の駆動により回転する。また、ディスク１の上面には磁気ヘッド３が配置され、ディスク１の下面には磁気ヘッド３と対向して光ピックアップ４が配置されている。情報記録時には磁極コア駆動回路９の駆動により磁気ヘッド３から情報信号に応じて変調された磁界を発生し、光ピックアップ４と協働して、所望の情報をディスク１に記録する。
【００２４】
即ち、磁極コア駆動回路９は記録すべき情報信号に応じて変調された周波数の駆動電流を磁気ヘッド３に供給し、磁極コア２０とコイル２１から成る磁界発生部から変調磁界を発生する。また、光ピックアップ４に搭載されたアクチュエータ４ｃで駆動される対物レンズ４ａのトラッキング方向の位置をレンズ位置センサ７により検出し、得られた位置信号をコントローラ１０に介して磁気ヘッド駆動回路３ｂに供給する。
【００２５】
詳しくは後述するが、磁気ヘッド３は磁界を発生する磁極コア２０がトラッキング方向に移動可能に支持されており、磁気ヘッド駆動回路３ｂは光ピックアップ４のレンズ位置検出信号７を利用して、磁気ヘッド３の磁極コア２０／コイル２１を対物レンズ４ａの位置と同期させてディスク１の偏芯に追従させている。なお、磁気ヘッド３と光ピックアップ４の初期位置を基準として、このトラッキングはオープン制御で行っている。磁気ヘッド３の構造及びトラッキングの方法については詳しく後述する。
【００２６】
一方、光ピックアップ４は記録再生光源であるレーザ光源５、ディスク１からの反射光を検出する光センサ６、レーザ光源５のレーザビームを微小光スポットに集光してディスク１に照射する対物レンズ４ａ、対物レンズ４ａをフォーカス方向とトラッキング方向に移動させるフォーカス及びトラッキングのアクチュエータ４ｃ等から構成されている。ディスク１からの反射光は光センサ６で検出され、再生回路８に送られる。再生回路８では所定の信号処理を行い、フォーカスエラー信号及びトラッキングエラー信号を生成する。
【００２７】
これらのエラー信号はコントローラ１０を介して光ピックアップ駆動回路４ｂに供給される。光ピックアップ駆動回路４ｂはこれらのエラー信号に基づいてアクチュエータ４ｃを駆動し、対物レンズ４ａをフォーカス方向及びトラッキング方向に変位させることにより、光ピックアップ４からの光ビームスポットをディスク１の磁気記録層上に合焦点させるフォーカス制御と情報トラックに追従させるトラッキング制御を行う。
【００２８】
次に、本発明の主要部である磁気ヘッド３の構成を図３〜図８に基づいて説明する。磁気ヘッド３は磁極コア２０と磁極コイル２１をディスク１とは非接触に可動可能に支持する摺動式のスライダー２６に搭載されている。スライダー２６のほぼ中央は略矩形の開口２６ｂの形状となっている。スライダー２６のディスク面に接する面には、接点（不図示）が開口部２６ｂを挟んでほぼ対称位置に２個備わっている。なお、磁極コア２０はディスク面に突出する突出部を有する凸型形状となっており、磁極コイル２１はその突出部の周囲に巻き回されているため、図３、図４等では磁極コイル２１は不図示である。
【００２９】
また、開口部２６ｂのほぼ中央に載置するように記録磁界発生部の磁極コア２０及び磁極コイル２１がトラッキングバネ２２（２２ａ、２２ｂ、２２ｃ）に保持されてスライダー２６に移動可能に支持されている。スライダー２６のトラッキング方向両側の側部２６ｄには、導電性のジンバル２３（２３ａ、２３ｂ）の一端が固定され、その他端は中継板３５で保持され、更に弾性部材３６を介してベース板３７に固定支持されている。このジンバル２３（２３ａ、２３ｂ）の構造については詳しく後述する。
【００３０】
ここで、図３、図４に示すように磁極コア２０及び磁極コイル２１を保持するトラッキングバネ２２は、少なくとも２本以上の平行板バネ２２ａを有しており、スライダー２６のタンジェンシャル方向後端に成形された垂直壁２６ａを支持点としてトラッキング方向に揺動可能に構成されている。また、トラッキングバネ２２はタンジェンシャル方向Ａに向かってディスク面と平行に延長してスライダー２６のほぼ中央に設けられた開口部２６ｂ上で磁界発生部の磁極コア／磁極コイル２０，２１を保持し、更に、先端部でトラッキング方向の駆動を可能とするトラッキングマグネット３０を保持している。
【００３１】
なお、トラッキングバネ２２の２２ｃ部にトラッキングコイル３１を保持してもよいが、本実施形態ではトラッキングマグネット３０を固定したタイプで説明する。トラッキングバネ２２には上述のようにトラッキングマグネット３０が配置され、その周囲にはトラッキングマグネット３０を収納するようにコの字形状のヨーク３２が配置されている。また、スライダー２６には、トラッキングマグネット３０と対向する位置にトラッキングコイル３１が所望の隙間を介して配置され、更に、トラッキングコイル３１の周囲にはスライダー２６の先端に形成してある凹部に収納されたコノ字形状のヨーク３３が固着されている。
【００３２】
ヨーク３２とヨーク３３は、図８に示すように互に対向し、各々のコノ字部を９０°ずらして係合しており、対向するヨーク３２、３３は可動可能な隙間を有して略箱形状の６面を構成している。ヨーク３２に固定されたトラッキングマグネット３０の着磁方向は図５に示すようにディスク面に垂直に磁化されており、対向するトラッキングコイル３１及びヨーク３３と所望の隙間を介して磁気回路を形成している。このような構成の磁気回路において、トラッキングマグネット３０の磁束方向を図５に示す矢印方向とし、これと直交してタンジェンシャル方向に整列したトラッキングコイル３１へ電流を供給することにより、図５に示すように力Ｆを発生させて、磁気ヘッド３のトラッキング動作を行う。
【００３３】
図８に示すような箱形状のヨーク３２、ヨーク３３にすることで、矢印に示す磁路を形成することができる。このように構成することでディスク記録面への磁界漏を防止する役割を持たせている。この磁気回路を備えたトラッキングバネ２２は磁極コア／磁極コイル２０、２１をディスク半径方向に移動可能に保持し、スライダー２６内の開口部２６ｂの後方の垂直壁２６ａから開口部２６ｂに向かってディスク面と非接触でほぼ水平に支持されている。
【００３４】
一方、所望の接触圧でディスク面１にスライダー２６を付勢するジンバル２３はジンバル２３ａと２３ｂから成り、ジンバル２３ａの基端部がタンジェンシャル方向Ａのスライダー２６のほぼ中央両側の側部２６ｄで接合されている。この側部２６ｄに接合されたジンバル部にトラッキングコイル３１のコイル端３１ａが電気的に接続されている。ジンバル２３としては、例えば、リン青銅、ベリリウム銅等の導電材で弾性を持つ材料が使用され半田等で接続されている。また、ＦＰＣ等の配線をリン青銅或いはベリリウム銅にして成形し使用しても可能である。
【００３５】
また、図３、図４、図７に示すようにジンバル２３はスライダー２６の両側の側部２６ｄにそれぞれ一体的に固定されて、スライダー２６のタンジェンシャル方向の中央近傍で僅かな角度を付けてタンジェンシャル方向Ａに延長しており、その先端近傍はディスク面と水平となる面を形成し、更に先端部からＵ字状に反転させて、略水平状態のままタンジェンシャル方向Ｂへ延長した折返し形状となっている。この折り返し部がジンバル２３ｂであり、Ｕ字状の先端部は絶縁部材から成る保持プレート４０が左右一対のジンバル２３a、２３ｂを一体的に保持している。
【００３６】
タンジェンシャル方向ＢにＵ字状に折返されたジンバル２３ｂは略長方形の絶縁材から成る中継板３５で支持され、更に、その終端が中継板３５から露出するように成形されている。このようにジンバル２３に支持されたスライダー２６をディスク面に所望の押圧を与えるための弾性部材３６を中継板３５にインサートし、タンジェンシャル方向Ｂに沿って所望の角度でベース板３７と接して連結している。尚、この弾性部材３６は金属でも樹脂でも良い。
【００３７】
このような構成のジンバル２３によって、ディスクの面ブレ等によるタンジェンシャル方向の変位に対応して、ジンバル２３の折返しバネ部２３ａと２３ｂにより面ブレ量に応じて両者の撓みによる回動が逆向きに作用し、タンジェンシャル方向の変位を抑制することにより磁極コア２１の位置を安定させている。即ち、折返しのジンバル構造によって、面ブレにおけるタンジェンシャル変位を相殺することを可能としている。このジンバル２３ａ、２３ｂの折り返し構造に関しては、本願発明者が先に提案している特開２００３−１５１１８６号公報に詳しく記載している。
【００３８】
次に、図７に示すようにトラッキングバネ２２を動作させる為、本実施形態においては図１の磁極駆動回路９に接続されたＦＰＣ２４から導電性のジンバル２３、コイル端３１ａを通してトラッキングコイル３１に通電している。即ち、ＦＰＣ２４は図７に示すように所望の位置で３分岐され、両端の２つがジンバル２３と接合された接合部２４ｂで接続され、この接合部２４ｂ、ジンバル２３、コイル端３１ａの経路で磁極駆動回路９からトラッキングコイル３１にレンズ位置検出信号の電流成分を供給している。
【００３９】
更に、ＦＰＣ２４の３分岐された中央部はスライダー２６に支持されたトラッキングバネ２２ａと平行に２ヶ所の２４a部に分かれており、図１の磁気ヘッド駆動回路３ｂから駆動電流をＦＰＣ２４の中央部から分岐された２４ａ部の経路でトラッキングバネ２２に固定された磁極コイル２１に供給している。
【００４０】
一方、図６、図７に示すように光ピックアップ４と一体化されたアングル３８の上面には、磁気ヘッド３を支持するベース板３７が固定されている。このアングル３８の形状は、ほぼコの字形と成っていて図２の下方側に光ピックアップ４が支持され、上方側にベース板３７が支持されている。ベース板３７は薄板の長方形で、図６及び図７に示すようにタンジェンシャル方向Ｂの基端部３７ａが、アングル３８の上面に形成してある突出部３８ａと更に凸部３８ｂに係止してベース板３７を水平に支持する支点となっている。
【００４１】
本実施形態では、この水平を支持するため所望の付勢力でベース板３７をディスク面と垂直方向に押圧する板バネ３９をアングル３８に支持させてベース板３７を押圧することで対応している。尚、このアングル３８と磁気ヘッド３を支持するベース板３７の位置決め固定は、前段階として、磁極コア２０の面中心と光ビームスポットの位置合わせを調整冶具等により観察して、光ビームスポットに対し所望の精度で予め位置決めを行っている。
【００４２】
従って、磁気ヘッド３の設定位置調整は、対物レンズ４ａが中立位置に有り、シフトしていない時に磁気ヘッド３の中心位置が対物レンズ４ａの中心位置となるように光ピックアップ４との連結部分を機械的に調整している。そして、後述するように対物レンズ４ａがシフトした時にレンズ位置検出信号を使用し、この信号をコントローラ１０を介して磁気ヘッド駆動回路３ｂに供給し、更に、磁気ヘッド駆動回路３ｂからトラッキングコイル３１にレンズ位置検出信号に応じた駆動電流を供給することにより、対物レンズ４ａの中心位置となるように磁気ヘッド３を合わせている。即ち、対物レンズ４ａと光ピックアップ４の初期位置を基準として、磁気ヘッド３を対物レンズ４ａのトラッキング方向の移動に同期させて制御するトラッキングをオープン制御で行っている。レンズ位置検出信号はレンズ位置センサ７からの信号である。
【００４３】
以上の構成で明らかなように光ピックアップ４と磁気ヘッド３はディスク１を挟んでアングル３８で連結されており、情報記録時には磁気ヘッド３のスライダー２６が弾性部材３６及びジンバル２３の付勢力でディスク面に摺接するように降下させられ、情報記録時以外には図示しない昇降機構により所定位置まで退避させられる。
【００４４】
また、図２に示すようにディスク１の径方向にガイドシャフト１００が配置されていて、光ピックアップ４はこのガイドシャフト１００に移動可能に支持されている。磁気ヘッド３と光ピックアップ４は図示しない駆動源の駆動によりガイドシャフト１００に沿ってディスク１の径方向に移動し、所望のトラックにアクセスできるように構成されている。
【００４５】
次に、装置本体と磁気ヘッドの動作を図１及び図４、図７にて説明する。まず、装置本体にディスク１を搭載し回転させる。また、コントローラ１０の制御によりレーザ駆動回路１１からレーザ光源５に駆動電流を供給し、レーザ光源５を点灯する。レーザ光源５から発したレーザ光は対物レンズ４ａで小径の光ビームスポットに絞られ、ディスク１の磁気記録層に照射される。この時、磁極コア駆動部９から情報信号に基づく駆動電流が磁極コイル２１に供給され、スライダー２６がディスク面上を摺動しながら磁気ヘッド３から情報信号に応じて変調された記録磁界を光ビームスポット照射方向に印加する。
【００４６】
このようにディスク１に光ピツクアップ４から光ビームスポットを照射しながら変調磁界を印加することにより、磁気記録層の磁化方向を磁界の方向に配向させ、情報信号に対応して磁化方向が変化する磁化領域を形成する。また、この情報記録時には、磁気ヘッド３のスライダー２６に備えてあるトラッキング駆動部３０Ａ（トラッキングマグネット３０、トラッキングコイル３１、ヨーク３２、３３等を含んでトラッキング駆動部３１Ａという）に光ピックアップ４からのレンズ位置検出信号の電流成分をＦＰＣ２４から供給する。
【００４７】
トラッキング駆動部３０Ａのトラッキングコイル３１には、上述のようにＦＰＣ２４から供給された電流成分がジンバル２３を通って供給され、トラッキングコイル３１に通電される。レンズ位置検出信号は図１のレンズ位置センサ７で検出された対物レンズ４ａのトラッキング方向の位置を示す信号である。レンズ位置センサ７としては、通常、対物レンズ位置検出用として用いられるレンズ位置検出器と共用するのが望ましい。
【００４８】
このようにトラッキングコイル３１にレンズ位置検出信号の電流成分を通電すると、スライダー２６内でディスク面と非接触に支持されているトラッキングバネ２２に設けてあるトラッキングマグネット３０との磁気回路によりトラッキングコイル３１への電流方向とトラッキングマグネット３０の磁化方向との組合せによって図５で説明したように周知の力Fを発生する。図３、図４の実施形態ではトラッキングコイル３１を１個として構成しているが、２個であっても可能であることは言うまでもない。
【００４９】
この力Fに従ってトラッキングバネ２２は、スライダー２６の垂直壁２６ａを支点として図３、図４、図７に示すトラッキング方向に揺動する。即ち、レンズ位置検出信号７と同期させて磁極コア／コイル２０、２１を追従させている。この時、スライダー２６はディスク面を摺動しており、このスライダー２６に支持された磁極コア／磁極コイル２０、２１はディスク面とは非接触の状態でトラッキング方向に移動する。
【００５０】
従って、ディスク面ブレに対しては、折返し構造のジンバル２３a、２３ｂにより対応し、ディスク偏芯に対しては、トラッキングバネ２２により対応することで光ビームスポットと磁界発生位置とのズレを抑制し、確実な記録再生を行う。
【００５１】
尚、磁気ヘッド３の磁極コア／磁極コイル２０、２１の構造は、凸型のコア形状に磁極コイル２１を直巻した構成としている。また、磁極コア２０の凸部をスライダー２６の開口部２６ｂからディスク面に対し所望の隙間を持って突出させている。図１の磁極コア駆動回路９から磁極コイル２１に駆動電流を供給することにより、磁極コア２０からディスク１に垂直方向に記録磁界を印加するように構成されている。
【図面の簡単な説明】
【００５２】
【図１】本発明による光磁気ディスク装置の一実施形態を示すブロック図である。
【図２】図１の光磁気ディスク装置の内部構造を示す構成図である。
【図３】磁気ヘッド周辺部の平面図である。
【図４】図３の磁気ヘッド周辺部の斜視図である。
【図５】磁気ヘッドの磁気回路を示す模式図である。
【図６】磁気ヘッドの昇降機構を含む側面図である。
【図７】磁気ヘッドの昇降機構を含む斜視図である。
【図８】磁気回路の斜視図である。
【図９】従来例の光磁気ディスク装置を示す図である。
【図１０】従来例の磁気ヘッド支持機構を示す図である。
【符号の説明】
【００５３】
１  光磁気ディスク
２  スピンドルモータ
３  磁気ヘッド
３ｂ  磁気ヘッド駆動回路
４  光ピックアップ
４ａ  対物レンズ
４ｂ  光ピックアップ駆動回路
４ｃ  アクチュエータ
５  レーザ光源
６  光センサ
７  レンズ位置センサ
８  再生回路
９  磁極コア駆動回路
１０  コントローラ
１１  レーザ駆動回路
２０  磁極コア
２１  磁極コイル
２２（２２ａ〜２２ｃ）  トラッキングバネ
２３（２３ａ、２３ｂ）  ジンバル
２４  ＦＰＣ
２６  摺動スライダー
２６ａ  垂直壁
２６ｂ  開口
３０  トラッキングマグネット
３１  トラッキングコイル
３２、３３  ヨーク
３５  中継板
３６  弾性部材
３７  ベース板
３８  アングル
３９  板バネ
４０  保持プレート
【図１】
2005116098.tif 000003
【図２】
2005116098.tif 000004
【図３】
2005116098.tif 000005
【図４】
2005116098.tif 000006
【図５】
2005116098.tif 000007
【図６】
2005116098.tif 000008
【図７】
2005116098.tif 000009
【図８】
2005116098.tif 000010
【図９】
2005116098.tif 000011
【図１０】
2005116098.tif 000012